(57)【要約】【課題】機能選択式空調コントロール装置において、部品点数を削減しながら、操作状態を分かりやすくすることである。【解決手段】空調コントロール装置１０は、空調機能を選択するプッシュノブ３０と、選択された空調機能の空調調節を行うダイヤルノブ５０を含む操作部１１と、液晶表示部７０を含んで構成される。プッシュノブ３０は、押し操作を順次行うことで、３つの空調機能を順次選択できる。プッシュノブ３０の頭部には、プッシュマーク３４、機能マーク３６，３８，４０、選択方向マーク４２，４４，４６が設けられる。液晶表示部７０には、温度設定表示ブロック８２、エアの吹き出し切り替え設定表示ブロック８４、風量設定表示ブロック８６が区別して設けられる。【選択図】図２
2012166669.tif 000002
【特許請求の範囲】
【請求項１】
ヒータを含む空調機器の複数の空調機能の内の１つを選択するプッシュボタンと、
プッシュボタンによって選択された空調機能について、その空調調節の設定を行うダイヤルと、
複数の空調機能に対応する複数の表示ブロックを有し、各表示ブロックは、プッシュボタンによって選択された空調機能についてダイヤルによって設定される空調調節の設定内容を表示する表示部と、
を備えることを特徴とする機能選択式空調コントロール装置。
【請求項２】
請求項１に記載の機能選択式空調コントロール装置において、
プッシュボタンは、プッシュ操作ごとに複数の空調機能を順次選択する順次選択型スイッチであることを特徴とする機能選択式空調コントロール装置。
【請求項３】
請求項２に記載の機能選択式空調コントロール装置において、
プッシュボタンは、
プッシュ操作を促すプッシュマークと、
複数の空調機能に対応する複数の機能マークと、
各機能マークの間に配置され、プッシュボタンが押されるごとに選択される空調機能が順次切り替わる方向を示す選択方向マークと、
を有するプッシュ操作板を含むことを特徴とする機能選択式空調コントロール装置。
【発明の詳細な説明】
【技術分野】
【０００１】
本発明は、機能選択式空調コントロール装置に係り、特に、ヒータを含む空調機器の複数の空調機能の選択と、選択された空調機能について空調調節設定とを行う機能選択式空調コントロール装置に関する。
【背景技術】
【０００２】
車両の車室内の空調は、温度調節、風量調節、内外エア吹き出し切り替え等が行われるが、その調節のために、コントロールパネルあるいはヒータコントローラと呼ばれる空調コントロール装置の操作盤が車室内に設けられる。
【０００３】
例えば、特許文献１には、車両用のコントロールパネルとして、車両のインストルメントパネルの運転席と助手席の間の部分に配置され、エアコンディショナのオン・オフ、モード切り替えスイッチ、内外気切り替えスイッチなど多くの操作子が配置されていると述べられている。ここでは、２つのコンビネーションダイヤルに分け、第１のコンビネーションダイヤルは、内側ダイヤルが風量切り替えるブロワダイヤルで、外側ダイヤルがエアの吹き出し口を選択する吹き出し口切り替えダイヤルである。第２コンビネーションダイヤルは、内側ダイヤルが車外からの空気を取り入れるかどうかを選択する内外気切り替えダイヤルで、外側ダイヤルが目標温度を設定する温度設定ダイヤルであることが開示されている。
【０００４】
そして、これらのコンビネーションダイヤルのそれぞれにおいて、内側ダイヤルの周囲で外側ダイヤルに覆われる部分には、内側ダイヤルの制御項目の動作状態にかかるマークを表示する表示板が設けられ、外側ダイヤルは透明材料で構成されてこれらの表示板のマークが正面から視認できるようになっている。また外側ダイヤルの周囲の部分には外側ダイヤルの制御項目の動作状態にかかるマークが表示されることが開示されている。
【０００５】
また、最近では、図１に示すような機能選択式ヒータコントローラが用いられるようになった。図１のヒータコントローラ１００は、操作スイッチ装置１０２と液晶表示部１０４とを含んで構成される。操作スイッチ装置１０２は、内周側に３つの押しボタン式のスイッチ１０６，１０８，１１０が設けられ、外周側にダイヤル１１２が設けられる。液晶表示部１０４には、温度設定と吹き出し切り替え設定と風量設定が表示される。
【０００６】
スイッチ１０６を押すと、そのスイッチの部分にインジケータランプが点灯し、温度調節ができることが示される。その状態でダイヤル１１２を回転させると、その回転に応じて液晶表示部１０４の温度設定の数字が変化する。ユーザは、その温度設定の数字を見ながら所望の温度のところまでダイヤル１１２を回転することで、所望の温度設定を行うことができる。
【０００７】
スイッチ１０８を押すと、そのスイッチの部分にインジケータランプが点灯し、エアの吹き出しモードの切り替えができることが示される。その状態でダイヤル１１２を回転させると、その回転に応じて、液晶表示部１０４の吹き出し切り替え設定の表示が、足元吹き出しの表示か、正面吹き出しの表示かで切り替わる。ユーザは、その表示切り替えを見ながら所望のエア吹き出しのところまでダイヤル１１２を回転することで、所望のエア吹き出し切り替え設定を行うことができる。
【０００８】
スイッチ１１０を押すと、そのスイッチの部分にインジケータランプが点灯し、風量調節ができることが示される。その状態でダイヤル１１２を回転させると、その回転に応じて、液晶表示部１０４の風量設定の棒グラフが変化する。ユーザは、その風量を示す棒グラフを見ながら、所望の風量のところまでダイヤル１１２を回転することで、所望の風量設定を行うことができる。
【先行技術文献】
【特許文献】
【０００９】
【特許文献１】特開平１０−２３６１３６号公報
【発明の概要】
【発明が解決しようとする課題】
【００１０】
車室内の空調調節については、多様な設定が考えられるので、操作盤の構成が複雑になりがちである。図１の機能選択式ヒータコントローラでは、機能選択のために３つの単独のスイッチを用い、機能選択位置が分かるようにそれぞれにインジケータランプを設けている。また、空調調節には、液晶表示部を見ながらダイヤルを回して調節を行う。このように、機能選択の数だけの単独のスイッチと、選択された機能が何かを示すために機能選択の数だけのインジケータランプと、液晶表示部とを備えるので、部品点数が多く、コストがかかる。
【００１１】
本発明の目的は、少ない部品点数で、操作状態が分かりやすい機能選択式空調コントロール装置を提供することである。
【課題を解決するための手段】
【００１２】
本発明に係る機能選択式空調コントロール装置は、ヒータを含む空調機器の複数の空調機能の内の１つを選択するプッシュボタンと、プッシュボタンによって選択された空調機能について、その空調調節の設定を行うダイヤルと、複数の空調機能に対応する複数の表示ブロックを有し、各表示ブロックは、プッシュボタンによって選択された空調機能についてダイヤルによって設定される空調調節の設定内容を表示する表示部と、を備えることを特徴とする。
【００１３】
また、本発明に係る機能選択式空調コントロール装置において、プッシュボタンは、プッシュ操作ごとに複数の空調機能を順次選択する順次選択型スイッチであることが好ましい。
【００１４】
また、本発明に係る機能選択式空調コントロール装置において、プッシュボタンは、プッシュ操作を促すプッシュマークと、複数の空調機能に対応する複数の機能マークと、各機能マークの間に配置され、プッシュボタンが押されるごとに選択される空調機能が順次切り替わる方向を示す選択方向マークと、を有するプッシュ操作板を含むことが好ましい。
【発明の効果】
【００１５】
上記構成により、機能選択式空調コントロール装置は、プッシュボタンによって複数の空調機能の内の１つを選択し、ダイヤルによって選択された空調機能についての空調調節の設定を行う。そして、表示部は、複数の空調機能に対応する複数の表示ブロックを有し、プッシュボタンによって選択された空調機能に対応する表示ブロックを他の表示ブロックと区別する区別表示方法を用いて表示する。そして、区別された表示ブロックについてダイヤルによって設定される空調調節の設定内容を表示する。
【００１６】
このように、１つのプッシュボタンで複数の空調機能の内の1つを選択し、表示部に、選択された機能が何であるかの区別表示と、その機能に関する調節の状態がどのようであるかの設定内容表示を集中させた。これにより、部品点数を削減できる。また、ユーザは、表示部のみを見て、所望の空調設定を行うことができるので、操作状態が見やすいものとなる。
【００１７】
また、プッシュボタンは、プッシュ操作ごとに複数の空調機能を順次選択する順次選択型スイッチである。したがって、ユーザは、表示部を見ながら、単にプッシュボタンについて押し戻しを繰り返すだけで、所望の空調機能を選択できる。このように、１つのプッシュボタンで複数の空調機能の内の1つを選択できるので、部品点数を削減できる。
【００１８】
また、プッシュボタンには、複数の空調機能に対応する複数の機能マークの間に、プッシュボタンが押されるごとに選択される空調機能が順次切り替わる方向を示す選択方向マークが設けられる。これにより、ユーザは、１つのプッシュボタンでも、空調機能がどのような順序で切り替えられるのかが一目で分かるので、操作状態が見やすいものとなる。
【図面の簡単な説明】
【００１９】
【図１】従来技術の機能選択式ヒータコントローラを説明する図である。
【図２】本発明に係る実施の形態の機能選択式空調コントロール装置の外観図である。
【図３】図２のＡ−Ａ線における断面図である。
【図４】図２のＢ−Ｂ線における断面図である。
【図５】本発明に係る実施の形態の機能選択式空調コントロール装置のプッシュボタンとダイヤルの部分の外観図である。
【図６】本発明に係る実施の形態の機能選択式空調コントロール装置において、温度調節を行うときの区別表示方法の様子を説明する図である。
【図７】本発明に係る実施の形態の機能選択式空調コントロール装置について、エアの吹き出し切り替えを行うときの区別表示方法の様子を説明する図である。
【図８】本発明に係る実施の形態の機能選択式空調コントロール装置について、風量調節を行うときの区別表示方法の様子を説明する図である。
【発明を実施するための形態】
【００２０】
以下に図面を用いて本発明に係る実施の形態につき、詳細に説明する。以下では、車両搭載用の機能選択式空調コントロール装置を説明するが、車両搭載用でなくても、複数の空調機能を選択して、それぞれについて空調調節の設定を行うものであればよい。例えば、個室内空調調節用等であってもよい。また、以下では、選択できる空調機能の数を３として説明するが、これは説明のための例示であって、これ以上の数の空調機能を選択するものであってもよい。また、空調機能として、温度調節、エアの吹き出し切り替え、風量調節を説明するが、これらは説明のための例示であって、これら以外の空調機能の設定に関するものであってもよい。例えば、エアの室内循環と外気取り入れの切り替え等であってもよい。また、表示部として、液晶表示パネルを説明するが、これ以外の表示装置であってもよい。例えば、ＬＥＤ表示装置等であってもよい。
【００２１】
以下では、全ての図面において同様の要素には同一の符号を付し、重複する説明を省略する。また、本文中の説明においては、必要に応じそれ以前に述べた符号を用いるものとする。
【００２２】
図２は、車両に搭載される機能選択式空調コントロール装置１０の外観図である。以下では、機能選択式空調コントロール装置１０を、単に空調コントロール装置１０として説明を続けるものとする。空調コントロール装置１０は、車室内の空調状態をユーザが調節するために設けられる空調調節盤である。具体的には、ヒータ、ファン、エア吹き出し切り替え板等の動作状態を変更するための調節盤である。
【００２３】
空調コントロール装置１０は、パネル１２に取り付けられた操作部１１と液晶表示部７０を含んで構成される。操作部１１は、内径側に設けられる押しボタン式のプッシュノブ３０と、プッシュノブ３０の外周側に設けられる回転操作式のダイヤルノブ５０を含んで構成される。図３は、図２のＡ−Ａ線における断面図、図４は、図２のＢ−Ｂ線における断面図である。
【００２４】
図３、図４に示されるように、空調コントロール装置１０は、正面側に配置されるパネル１２と、裏面側に配置されるケース１４を組み合わせて、全体の筐体部を構成する。この全体の筐体部が、車両のインストルメントパネルの一部として、車両の運転席と助手席の間の部分に配置される。パネル１２は、適当な樹脂成形によって所望の形状としたものを用いることができる。ケース１４は、プラスチック、金属等を用いて、所望の形状に成形したものを用いることができる。
【００２５】
空調コントロール装置１０の筐体部以外の構成要素は、ハウジングサブアセンブリ２０と、基板サブアセンブリ６０とに大別できる。ハウジングサブアセンブリ２０は、ハウジング２２を中心として、プッシュノブリテーナ２４、ダイヤルノブリテーナ２６、プッシュノブ３０、ダイヤルノブ５０を組み付けたサブ組立体である。基板サブアセンブリ６０は、基板６２を中心として、タクトスイッチ６４、ダイヤル用スイッチ６６（図４参照）、液晶表示部７０を組み付けたサブ組立体である。液晶表示部７０は、液晶パネル７２、液晶パネルホルダ７４、表示板７６を含んで構成される。
【００２６】
ハウジング２２は、基板６２とパネル１２と組み合わされて固定される部品で、プッシュノブリテーナ２４を介してプッシュノブ３０を押し戻しするときの案内機能を有し、また、ダイヤルノブリテーナ２６を介してダイヤルノブ５０を回転するときの案内機能を有する。ハウジング２２は、適当な樹脂材料を用いて、所望の形状に成形したものを用いることができる。
【００２７】
プッシュノブ３０は、タクトスイッチ６４の操作子を押すプッシュボタン、つまり、押しボタンである。プッシュノブ３０は、一回タクトスイッチ６４を押すと、元の位置に復帰する。つまり押し戻しを行うボタンである。元の位置に復帰するのは、図示されていない復帰バネの復元力による。タクトスイッチ６４に内蔵する復帰ばねの復元力が十分大きい場合は、これを利用してもよく、その場合には特別な復帰ばねを設ける必要がない。
【００２８】
プッシュノブ３０の頭部は、ユーザが押し操作を行う操作部に相当するが、比較的広い押し面積とされる。この頭部の広い押し面積を利用して、複数の空調機能の種類を表示する表示板が設けられる。表示板の詳細については、図５を用いて後述する。
【００２９】
タクトスイッチ６４は、基板６２に取り付けられ、操作子が押されることでオン信号を出力し、操作子が押されることがなくなると、内蔵する復帰ばねの復元力によって元の状態に戻ってオフ状態となるスイッチである。タクトスイッチ６４は、適当な信号線を用いて、図示されていないが、基板６２に搭載される表示部制御回路に接続される。もっとも、表示部制御回路を、空調コントロール装置１０の外部の制御部の機能としてもよい。
図示されていない表示部制御回路は、タクトスイッチ６４から出力されるオン信号の回数を監視し、その回数に応じて、液晶表示部７０の表示を切り換える。具体的には、初期状態から最初にタクトスイッチ６４がオンとなると、温度設定の表示をするように液晶表示部７０を制御する。次にタクトスイッチ６４がオンとなると、エア吹き出し切り替え設定の表示をするように液晶表示部７０を制御する。なお、次にタクトスイッチがオンとは、初期状態から数えて２度目のオンのことである。さらに次にタクトスイッチ６４がオンとなると、風量設定の表示をするように液晶表示部７０を制御する。なお、さらに次にタクトスイッチがオンとは、初期状態から数えて３度目のオンのことである。もう一度タクトスイッチ６４がオンとなると、再び温度設定の表示をするように液晶表示部７０を制御する。
【００３０】
このように、表示部制御回路は、タクトスイッチ６４のオンの回数に応じ、温度設定−エア吹き出し切り替え設定−風量設定−温度設定−・・・のように、循環させながら、液晶表示部７０の表示切り替えを制御する。
【００３１】
プッシュノブリテーナ２４は、プッシュノブ３０の内周側を支持し、ハウジング２２に設けられたレールをスライドする円筒状部材である。プッシュノブ３０が押されると、プッシュノブリテーナ２４を介してレールをスライドすることで、タクトスイッチ６４の操作子を押し下げる。これにより、タクトスイッチ６４がオンする。
【００３２】
ダイヤルノブ５０は、ダイヤル用スイッチ６６をオン・オフさせる回転操作子である。
ダイヤル用スイッチ６６は、ダイヤルノブ５０の回転角度に応じた信号を出力するスイッチである。回転角度に応じた信号はアナログ信号であってもよいが、数段階の識別で十分な場合はディジタル信号とすることができる。回転角度に応じたディジタル信号を出力するには、複数のスイッチをダイヤルノブ５０が回転する円周上に配置し、ダイヤルノブ５０の回転角度に応じて、順次オン・オフするものとできる。ダイヤル用スイッチ６６は、適当な信号線で、タクトスイッチ６４のところで説明した表示部制御回路に接続される。
【００３３】
表示部制御回路は、タクトスイッチ６４から伝送された信号に基づいて、ダイヤル用スイッチ６６のオン・オフ信号の意味を解釈して、液晶表示部７０に、調節設定の表示を行わせる指示を出す。
【００３４】
タクトスイッチ６４から伝送された信号が、温度設定の機能選択であることを示すものであるときは、ダイヤル用スイッチ６６のオン・オフ信号が温度調節に関する情報であると解釈する。そして、予め定めたテーブル等の情報換算関係に基づいて、ダイヤル用スイッチ６６のオン・オフ信号の情報を温度設定データに換算する。例えば、ダイヤル用スイッチ６６のオン・オフ信号が１０段階で、情報換算関係によれば、各段階が１℃刻みで、１８℃から２８℃までの範囲に換算されるものとする。ダイヤル用スイッチ６６のオン・オフ信号が５段階目のものであれば、温度設定は２２℃であるので、液晶表示部７０に温度調節設定として、２２℃の表示をするように指示する。
【００３５】
タクトスイッチ６４から伝送された信号が、エアの吹き出し切り替え設定の機能選択であるときは、ダイヤル用スイッチ６６のオン・オフ信号がエアの吹き出し切り替え調節に関する情報であると解釈する。そして、予め定めたテーブル等の情報換算関係に基づいて、ダイヤル用スイッチ６６のオン・オフ信号の情報を、エアの吹き出し切り替え設定データに換算する。例えば、ダイヤル用スイッチ６６のオン・オフ信号が１０段階で、情報換算関係によれば、１段階目から３段階目までが足元吹き出しであり、４段階目から６段階目までが正面吹き出しであり、７段階目から１０段階目が足元吹き出しと正面吹き出しの併用であると換算されるものとする。ダイヤル用スイッチ６６のオン・オフ信号が８段階目のものであれば、吹き出し切り替え設定は、足元吹き出しと正面吹き出しの併用であるので、液晶表示部７０にエアの吹き出し切り替え調節設定として、足元吹き出しと正面吹き出しの併用の表示をするように指示する。
【００３６】
タクトスイッチ６４から伝送された信号が、風量設定の機能選択であるときは、ダイヤル用スイッチ６６のオン・オフ信号が風量調節に関する情報であると解釈する。そして、予め定めたテーブル等の情報換算関係に基づいて、ダイヤル用スイッチ６６のオン・オフ信号の情報を、風量設定データに換算する。例えば、ダイヤル用スイッチ６６のオン・オフ信号が１０段階で、情報換算関係によれば、１，２段階のときに風量１で、３，４段階のときに風量２で、５，６段階のときに風量３で、７，８段階のときに風量４で、９，１０段階のときに風量５に換算されるものとする。ダイヤル用スイッチ６６のオン・オフ信号が４段階目のものであれば、風量設定は、風量２であるので、液晶表示部７０に風量調節設定として、風量２の表示をするように指示する。
【００３７】
ダイヤルノブリテーナ２６は、ダイヤルノブ５０の内周側を支持し、ハウジング２２上を回転する円筒状部材である。ダイヤルノブ５０が回転すると、ダイヤルノブリテーナ２６がハウジング２２上を回転し、これにより、回転円上に設けられたダイヤル用スイッチ６６がオン・オフする。
【００３８】
液晶表示部７０は、上記のように、液晶パネル７２、液晶パネルホルダ７４、表示板７６を含んで構成される。液晶パネル７２は、上記で説明した表示部制御回路に適当な信号線で接続される。液晶パネルホルダ７４は、液晶パネル７２を基板６２に取り付け保持する枠部材である。表示板７６は、パネル１２に設けられる見切り板で、ユーザは、この表示板７６を介して液晶パネル７２の表示を見ることになる。以下では、表示板７６の表示内容を説明するが、表示板７６の表示は、実質的に液晶パネル７２の表示と同じである。
【００３９】
液晶パネル７２は、図１に示されるように、複数の液晶表示セグメントの集合である。各液晶表示セグメントは、液晶分子を挟むように電極が設けられたもので、各液晶表示セグメントの電極にはそれぞれ、表示部制御回路から駆動信号が供給される。駆動信号が供給されないときは、液晶表示セグメントは消灯状態で、駆動信号が供給されると、その液晶表示セグメントが点灯する。ここで、液晶が消灯とは、液晶表示セグメント駆動信号が与えられずに、目視では単にバックライト色であることであり、液晶表示セグメントに駆動信号が与えられて、黒表示となることである。なお、カラー液晶であれば、所定の色表示となることである。
【００４０】
液晶表示部７０の表示である表示板７６の表示は、図１に示されるように、複数の表示ブロックに分けられる。複数の表示ブロックは、空調機能ごとに分けられる。すなわち、温度設定のための表示ブロック、エアの吹き出し切り替え設定のための表示ブロック、風量設定のための表示ブロックのように、分けられる。各表示ブロックの内容については、後述する。
【００４１】
図５は、操作部１１の詳細を説明する図である。操作部１１の内、ダイヤルノブ５０は、外周側をユーザが回転しやすいような大きさの円筒形のダイヤルである。プッシュノブ３０は、ユーザが押しやすいように、その頭部が比較的広い押し面積とされるプッシュ操作板３２となっている。
【００４２】
プッシュ操作板３２は、円形の操作板兼表示板である。プッシュ操作板３２には、３種類のマークが印刷等によって設けられる。印刷以外に、掘り込みその他の表示方法を用いてもよい。３種類のマークは、プッシュマーク３４、機能マーク３６，３８，４０、選択方向マーク４２，４４，４６である。これらのマークは、単に設けられているだけで、全体がランプ等で明るくされることはあっても、複数のマークのうちの特定の１つがインジケータランプ等で区別されるわけではない。
【００４３】
プッシュ操作板３２の中央に設けられるプッシュマーク３４は、ユーザにプッシュ操作を促す表示マークである。図５では「ＰＵＳＨ」と表示されている。プッシュマーク３４の外側に設けられる３つの機能マーク３６，３８，４０は、それぞれ、温度設定機能、エアの吹き出し切り替え設定機能、風量設定機能をそれぞれ示す表示マークである。図５では、「ＴＥＭＰ」で温度設定機能が、「人マークと吹き出しマークと吹き出し方向矢印」でエアの吹き出し切り替え機能が、「ファンマーク」で風量設定機能が、それぞれ表示されている。
【００４４】
３つの機能マークの間に設けられる選択方向マーク４２，４４，４６は、プッシュノブ３０が押されるごとに出力されるタクトスイッチ６４のオン・オフ信号に応じて、サイクリックに順次変更される空調機能の変更方向を明らかにするためのマークである。すなわち、選択方向マーク４２，４４，４６は、プッシュノブ３０押されるごとに選択される空調機能が順次切り替わる方向を示す選択方向を示すマークである。
【００４５】
選択方向マーク４２，４４，４６は、よく用いられる矢印マークではなく、矢印の先端をイメージしたマークが用いられる。図５の例では、先細りの流線型パターンが選択方向マーク４２，４４，４６として用いられる。これを一般的に用いられる矢印とすると、ユーザは、ダイヤルノブ５０をこの矢印の方向に回転すると機能選択が行われるものと誤解する恐れがある。機能選択は、プッシュノブ３０を押すことで行われるのであって、ダイヤルノブ５０の回転操作、あるいはプッシュノブ３０の回転操作で行われるのではない。このようなユーザの誤解を招くことのないように、選択方向マーク４２，４４，４６は、矢印マークではなく、矢印の先端を抽象的にイメージしたマークを用いる。
【００４６】
このように、選択方向マーク４２，４４，４６を用いることで、３つの空調機能の切り替えができること、次にどの空調機能に切り替わるのかを分かりやすく示すことができる。
【００４７】
次に、液晶表示部７０の表示板７６の表示について、図６から図８を用いて説明する。これらの図に示されるように、表示板７６は、５つの表示ブロック８０，８２，８４，８６，８８に区分される。すなわち、空調表示ブロック８０、温度設定表示ブロック８２、エアの吹き出し切り替え設定表示ブロック８４、風量設定表示ブロック８６、循環表示ブロック８８である。
【００４８】
空調表示ブロック８０は、空調を行っていることの表示、自動空調運転をしていることの表示をするためのブロックである。空調表示ブロック８０は、空調を行っていない場合には、液晶が消灯し、空調を行って、自動空調運転をしている場合には、液晶が点灯する。
【００４９】
温度設定表示ブロック８２は、温度設定機能が選択されたときに、温度調節の内容を表示するためのブロックである。図６から図８の例では、温度調節が２８．５℃の状態であることが表示されていることになる。
【００５０】
エアの吹き出し切り替え設定表示ブロック８４は、エアの吹き出し切り替え設定機能が選択されたときに、切り替え設定の内容を表示するためのブロックである。図６から図８の例では、エアの吹き出し切り替え設定が、足元吹き出しと正面吹き出しの併用であることが表示されている。
【００５１】
風量設定表示ブロック８６は、風量設定機能が選択されたときに、風量調節の内容を表示するためのブロックである。図６から図８の例では、風量６に調節されていることが表示されている。
【００５２】
循環表示ブロック８８は、車室内にエアが循環していることの表示をするためのブロックである。循環表示ブロック８８は、エアが循環していない場合には、液晶が消灯しエアが循環している場合には、液晶が点灯する。
【００５３】
ここで、表示ブロック８２，８４，８６については、ユーザが空調調節を行うためにダイヤルノブ５０を回転操作することに応じて表示内容が変化する。その際に、どの空調機能の設定調節をしているかを一目でわかるように、プッシュノブ３０によって選択された空調機能に対応する表示ブロックを他の表示ブロックと区別する区別表示方法を用いる。
【００５４】
図６は、温度設定機能を選択した場合に、温度設定表示ブロック８２を、他の表示ブロックと区別する様子を示す図である。ここでは、温度設定表示ブロック８２を囲む枠線８３が点灯する。他の表示ブロックの枠線は点灯しない。図７は、エアの吹き出し切り替え機能を選択したときに、エアの吹き出し切り替え設定表示ブロック８４を囲む枠線８５のみが点灯する様子が示される。図８は、風量設定機能を選択したときに、風量設定表示ブロック８６を囲む枠線８７のみが点灯する様子が示される。
【００５５】
このように、ユーザがプッシュノブ３０を押すと、液晶表示部７０の表示板７６において枠線８３，８５，８７のいずれかが点灯する。ユーザがプッシュノブ３０をさらに押すことを繰り返すと、枠線８３，８５，８７が順次切り替わる。これにより、ユーザは、プッシュノブ３０の３つの機能マーク３６，３８，４０と、選択方向マーク４２，４４，４６とを参考にしながら、液晶表示部７０の表示板７６の表示を見て、所望の空調機能が選択されるように、プッシュノブ３０を操作できる。そして、所望の空調機能が選択されたら、ダイヤルノブ５０を回転操作し、液晶表示部７０の表示板７６の表示を見ながら、所望の空調調節を行うことができる。
【産業上の利用可能性】
【００５６】
本発明に係る機能選択式空調コントロール装置は、車両搭載の空調機器の調節に利用できる。
【符号の説明】
【００５７】
１０  （機能選択式）空調コントロール装置、１１  操作部、１２  パネル、１４  ケース、２０  ハウジングサブアセンブリ、２２  ハウジング、２４  プッシュノブリテーナ、２６  ダイヤルノブリテーナ、３０  プッシュノブ、３２  プッシュ操作板、３４  プッシュマーク、３６，３８，４０  機能マーク、４２，４４，４６  選択方向マーク、５０  ダイヤルノブ、６０  基板サブアセンブリ、６２  基板、６４  タクトスイッチ、６６  ダイヤル用スイッチ、７０  液晶表示部、７２  液晶パネル、７４  液晶パネルホルダ、７６  表示板、８０，８２，８４，８６，８８  表示ブロック、８３，８５，８７  枠線、１００  ヒータコントローラ、１０２  操作スイッチ装置、１０４  液晶表示部、１０６，１０８，１１０  スイッチ、１１２  ダイヤル。
【図１】
2012166669.tif 000003
【図２】
2012166669.tif 000004
【図３】
2012166669.tif 000005
【図４】
2012166669.tif 000006
【図５】
2012166669.tif 000007
【図６】
2012166669.tif 000008
【図７】
2012166669.tif 000009
【図８】
2012166669.tif 000010